(57)【要約】      （修正有）【課題】針と針ホルダーを手早く分離できる、安全な針ホルダーセット及びその取替えベースを提供する。【解決手段】取替えベース１は、シート１１、針刺し防止プロテクター１２、及び押え部１３を含む。このシート１１は取外し可能で、外部の針ホルダー５と連結することができ、このシート１１に設けられた貫通穴１４が、外部の針２の連結部２２と連結する。針刺し防止プロテクター１２の一端はシート１１と連結しており、この針刺し防止プロテクター１２はベース１に対して動かすことができ、カバーモードにして、針２の針先２１をカバーできる。押え部１３はシート１１の一部に設けられ、押え部１３を押すと、シート１１を針ホルダー５から分離できる。【選択図】図２
0003202337.tif 000002
【実用新案登録請求の範囲】
【請求項１】
取外し可能で、外部の針ホルダーと連結することができ、且つ、貫通穴が設けられ、この貫通穴を通して、外部の針の連結部及びこの針ホルダー内の貯留スペースと連結することができるシート、
一端がシートと連結しており、このシートに対して動かすことができ、カバーモードにすると、針の針先をカバーできる針刺し防止プロテクター、及び
シートの一部に設けられ、押すと、シートを針ホルダーから分離できる押え部、
を含む、安全な針ホルダーセット及びその取替えベース。
【請求項２】
前記のシートがはめ込み部を有し、シートを針ホルダーに取付けすることができ、押え部がはめ込み部と連動しており、これを押えるとシートを針ホルダーから分離できる、請求項1に記載の取替えベース。
【請求項３】
前記の針刺し防止プロテクターとシートは、一体化成型、もしくは取外し可能な外付け式の組合せとなっている、請求項1に記載の取替えベース。
【請求項４】
前記のシートが透明部を有し、医療スタッフが操作するとき、シート内に血液が流れ込む状態を観察できる、請求項1に記載の取替えベース。
【請求項５】
前記の、シートにおける押え部とシートにおける針刺し防止プロテクターが、片手で操作するときの指の位置に取り付けられている、請求項1に記載の取替えベース。
【請求項６】
前記の、シートにおける押え部とシートにおける針刺し防止プロテクターが、使用する人の片手の親指と人差し指に呼応する位置に取り付けられている、請求項1に記載の取替えベース。
【請求項７】
針ホルダー、及び
取替えベース
を含み、この取り換えベースがさらに、
取外し可能で、外部の針ホルダーと連結することができ、且つ、貫通穴が設けられ、この貫通穴を通して、外部の針の連結部及びこの針ホルダー内の貯留スペースと連結することができるシート、
一端がシートと連結しており、このシートに対して動かすことができ、カバーモードにすると、針の針先をカバーできる針刺し防止プロテクター、及び、
シートの一部に設けられ、押すと、シートを針ホルダーから分離できる押え部、
を含む、安全な針ホルダーセット。
【請求項８】
前記のシートの取付け機構が、針ホルダーのはめ込み口にはめ込まれるようになっている、請求項7に記載の安全な針ホルダーセット。
【請求項９】
さらにカップラーを含み、このカップラーの一端が針の連結部と連結する、請求項7に記載の安全な針ホルダーセット。
【請求項１０】
さらに採集器を含み、この採集器の採集スペースがカップラーのもう一方の端と連結して導通している、請求項9に記載の安全な針ホルダーセット。
【考案の詳細な説明】
【技術分野】
【０００１】
本考案は安全な針ホルダーセット及びその取替えベース、特に針を手早く取り外せる安全な針ホルダーセット及びその取替えベースに関するものである。
【背景技術】
【０００２】
医療スタッフが現行の注射器で薬剤を注射したり採血した後、使用後の針が刺さって病気が伝染するのを防ぐため、専用の針カバーを付けてから処分する。しかし、針カバーを付けるときに、スタッフが少し注意を怠ると、針が刺さってけがをし、職業災害となる危険性が高まる。
前記の問題を解決するため、医療スタッフは安全な針を用いて採血している。たとえな、針ホルダー上にカバー部分を設けた台湾特許番号M485736「安全針先カバー」を用い、使用後はカバーで針先を覆ってから処分する。しかし、現行の安全注射器は取替え後にホルダーもろとも処分されるので、この処分方法は図らずも医療資源の大きなムダにつながりやすい。
【０００３】
以上をまとめると、医療スタッフが使用後の針に手早くカバーを付けて分離できる針ホルダーを具備する装置の開発というのが、この領域で解決されるべき技術的な問題である。
【考案の概要】
【考案が解決しようとする課題】
【０００４】
前記の問題を解決するため、本考案の目的は、針と針ホルダーを手早く分離できる、安全な針ホルダーセット及びその取替えベースを提供することにある。
【課題を解決するための手段】
【０００５】
前記の目的を達成するため、本考案は、シート、針刺し防止プロテクター、押え部を含む、安全な針ホルダー及びその取替えベースを提供する。このシートは取外し可能で、少なくとも一部分は、外部の針ホルダーにはめ込むことができ、このシートには貫通穴が設けられ、この貫通穴を通して、外部の針の連結部と連結し、針ホルダーにおける貯留スペースに呼応させる。針刺し防止プロテクターの一端はシートと連結しており、この針刺し防止プロテクターをシートに対して可動させることによりカバーモードにして、針の針先をカバーできる。押え部はシートの一部を構成しており、これを押すと、シートを針ホルダーから分離できる。
【０００６】
前記の目的を達成するため、本考案は、針ホルダーと取替えベースを含む、安全な針ホルダーセットを提供する。取替えベースは、シート、針刺し防止プロテクター、押え部を含む。シートは針ホルダーの一部と連結されて、且つ取外し可能であり、シートにはさらに貫通穴が設けられ、貫通穴は、外部における針の連結部、及び針ホルダー内の貯留スペースの連結に用いられる。針刺し防止プロテクターはシートと連結されて、且つ取外し可能であり、針刺し防止プロテクターはカバーモードにして、針の針先をカバーできる。押え部はシートの一部を構成しており、これを押すと、シートを針ホルダーから分離できる。
【考案の効果】
【０００７】
以上をまとめると、医療スタッフは、本考案である安全な針ホルダーセットを使い終わると、片手で針刺し防止プロテクターを操作して針先にカバーを付け、取替えベースの押え部を押して、針と針ホルダーを手早く分離できる。
【図面の簡単な説明】
【０００８】
【図１】本考案である安全な針ホルダーに用いられるシートの図面
【図２】本考案である安全な針ホルダーセットの図面
【図３】本考案における実施形態
【図４】本考案における実施形態
【図５】本考案における実施形態
【考案を実施するための形態】
【０００９】
以下、本実用新型の実施の形態を、図に基づいて説明する。
【実施例】
【００１０】
図1は、本考案における安全な針ホルダー5の取替えベース1であり、シート11、針刺し防止プロテクター12、及び押え部13を含む。このシートは取外し可能で、外部の針ホルダー5と連結することができ、このシート11に設けられた貫通穴14が、シート11を貫通しており、外部の針2の連結部22と連結する。針刺し防止プロテクター12の一端はシート11と連結しており、カバーモードにして、針2の針先21をカバーできる。押え部13はシートの一部に設けられ、押え部13を押すと、シートを針ホルダー5から分離できる。
【００１１】
前記の針刺し防止プロテクター12とシート11は、一体化成型、もしくは取外し可能な外付け式の組合せとする。針刺し防止プロテクター12とシート11が一体化成型の場合、両者の連結部分に凹みを設け、針刺し防止プロテクター12がシート11に対して動かせるようにする。
前記のシート11はさらにはめ込み部15を有し、シート11を針ホルダー5に取付けして連結させることができる（たとえば、取付け機構が針ホルダー5の底部に設けられている）。押え部13ははめ込み部15と連動しており、これを押えるとシート11を針ホルダー5から分離できる。シート11における貫通穴11と針2との連結方法は、ロック式、ねじ込み式、スナップ式、カートリッジ式などがあるが、この限りではない。
【００１２】
シート11に前記の押え部13を設ける位置、及びシート11に針刺し防止プロテクター12を設ける位置は、片手で操作できる位置に押え部13を設置する。たとえば、いずれもシートの側面エッジに設置するようにする。
図2は、本考案における安全な針ホルダーセットを示す図であり、安全な針ホルダーセットはさらに、取替えベース1、針2、カップラー3、採集器4、針ホルダー5を含む。このシート11の取付け機構が、針ホルダー5のはめ込み口51にはめ込まれる。針2の連結部22は、シート11の貫通穴14及びカップラー3と連結し、このカップラー3の一端が針ホルダー5の貯留スペース52内部と連結する。
【００１３】
図3〜5は本考案の実施形態である。医療スタッフが図2の安全な針ホルダー5セットを用いて患者から採血するとき、まず針刺し防止プロテクター12を開放状態にして、針先21を露出させる。針先21を患者の体内に挿入した後、医療スタッフは真空採集器4とカップラー3を連結させ、真空採集器4内部の負圧を利用して血液を採取し、真空採集器4内に送り込む。この採血中において、医療スタッフはシート11の透明部を通して血液が流れ込む状態を観察できるので、血液が順調に採取されたことを確認できる。採血を終えた後、医療スタッフは、針先21と真空採集器4をそれぞれ別個に抜き取り、針刺し防止プロテクター12をかけて、針2の針先21にカバーを付ける。針先21を取り替えたいときは、医療スタッフが押え部13を押すだけで、シート11と針2を針ホルダー5から手早く分離し、処分することができる。
【００１４】
シート11における押え部13と針刺し防止プロテクター12は、片手の指で操作できる位置に取り付ける。詳細は以下のとおりだが、別の指を使って操作しても差し支えない。医療スタッフは、親指または人差し指を使って針刺し防止プロテクター12を押してオープンし、使用終了後、人差し指で針刺し防止プロテクター12を押し戻してカバーを付け、次に親指で押え部13を押して針先21を取り外す。従来の技術では、安全注射針を用いる際には、両手で操作しなければならないが、本考案である安全な針ホルダーセットだと、片手で前記の操作を行うことができるだけでなく、針ホルダー5を繰り返し使用できるので、医療廃棄物の量を減らすことができる。
【００１５】
上述の詳細説明は本考案における実現可能な実施例の具体的説明であり、これらの実施例は本考案請求項に制限を加えるものではなく、本発明の趣旨に従い、適度な修飾や変化を加えることで同等の効果を得た場合は、本考案請求項の保護範囲内とする。
【符号の説明】
【００１６】
1  取替えベース
11  シート
12  針刺し防止プロテクター
13  押え部
14  貫通穴
15  はめ込み部
2  針
21  針先
22  連結部
3  カップラー
4  真空採集器
5  針ホルダー
51  はめ込み口
52  貯留スペース
【図１】
0003202337.tif 000003
【図２】
0003202337.tif 000004
【図３】
0003202337.tif 000005
【図４】
0003202337.tif 000006
【図５】
0003202337.tif 000007